【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
第２画面システム中で使用されるように構成されたユーザデバイスであって、
−  コンテンツデータストリームを受信することと、
−  複数のパラメータを使用して透かしペイロードを生成することであって、前記パラメータが、前記コンテンツデータストリームのソースを特徴付ける少なくとも１つの値、およびユーザ情報を含むことと、
−  前記透かしペイロードを含む透かしを前記コンテンツデータストリームに挿入して透かし入りコンテンツデータストリームを得ることと、
−  前記透かし入りコンテンツデータストリームを出力することと、
を行うように構成されたプロセッサを備える、前記ユーザデバイス。
【請求項２】
前記プロセッサは、前記コンテンツデータストリームの前記ソースを特徴付ける前記少なくとも１つの値を受信するようにさらに構成される、請求項１に記載のユーザデバイス。
【請求項３】
さらなるパラメータは前記ユーザデバイスの時間である、請求項１に記載のユーザデバイス。
【請求項４】
前記コンテンツデータストリームの前記ソースを特徴付ける前記少なくとも１つの値は、チャネルと、コンテンツ識別子と、放送者の識別子と、コンテンツ所有者の識別子と、コンテンツ視聴率情報と、ＵＲＬリダイレクションとのうちの少なくとも１つを含む、請求項１に記載のユーザデバイス。
【請求項５】
前記ユーザ情報はユーザ識別子とユーザ選好とのうちの少なくとも一方を含む、請求項１に記載のユーザデバイス。
【請求項６】
前記ユーザ識別子は、ユーザの識別子と、前記ユーザデバイスの識別子と、加入の識別子とのうちの少なくとも１つを含む、請求項５に記載のユーザデバイス。
【請求項７】
前記透かし入りコンテンツデータストリームをレンダリングするように構成されたレンダリングデバイスをさらに備える、請求項１に記載のユーザデバイス。
【請求項８】
請求項１から６のいずれか一項に記載の前記ユーザデバイスと、前記透かし入りコンテンツデータストリームをレンダリングするためのレンダリングデバイスと、第２画面デバイスとを備える第２画面システムであって、前記第２画面デバイスは、
−  画面と、
−  前記レンダリングされた透かし入りコンテンツデータストリームから前記透かしを取り込むためのインタフェースと、
−  プロセッサであって、
−  前記取り込まれた透かしから前記透かしペイロードを抽出し、
−  前記透かしペイロードから前記複数のパラメータのうちの少なくとも１つを抽出し、
−  前記少なくとも１つの抽出したパラメータを使用して要求を生成し、
−  前記要求をサーバに送信し、
−  前記要求に応答して前記サーバから情報を受信し、
−  前記受信した情報を前記画面に表示する
ように構成された、前記プロセッサと
を備える、前記第２画面システム。
【請求項９】
前記ユーザデバイスおよび前記第２画面デバイスはローカルネットワーク中に位置する、請求項８に記載の第２画面システム。
【請求項１０】
前記ユーザデバイスの前記プロセッサは前記透かしを繰り返し生成および挿入するように構成される、請求項８に記載の第２画面システム。
【請求項１１】
第２画面システム中の第２画面デバイス上で第２画面情報をレンダリングする方法であって、
−  ユーザデバイスにおいて、
−  コンテンツデータストリームを受信するステップと、
−  複数のパラメータを使用して透かしペイロードを生成するステップであって、前記パラメータが、前記コンテンツデータストリームのソースを特徴付ける少なくとも１つの値、およびユーザ情報を含む、前記ステップと、
−  前記透かしペイロードを含む透かしを前記コンテンツデータストリームに挿入して透かし入りコンテンツデータストリームを得るステップと、
−  前記ユーザデバイスまたはレンダリングデバイスにおいて前記透かし入りコンテンツデータストリームをレンダリングするステップと、
−  前記第２画面デバイスにおいて、
−  前記レンダリングされた透かし入りコンテンツデータストリームから前記透かしを取り込むステップと、
−  前記取り込んだ透かしから前記透かしペイロードを抽出するステップと、
−  前記透かしペイロードから前記複数のパラメータのうちの少なくとも１つを抽出するステップと、
−  前記少なくとも１つの抽出したパラメータを使用して要求を生成するステップと、
−  前記要求をサーバに送信するステップと、
−  前記要求に応答して前記サーバから情報を受信するステップと、
−  前記受信した情報を前記第２画面の画面に表示するステップと
を含む、前記方法。
【請求項１２】
前記ユーザデバイスによって、前記コンテンツデータストリームの前記ソースを特徴付ける前記少なくとも１つの値を受信するステップをさらに含む、請求項１１に記載の方法。
【請求項１３】
さらなるパラメータは前記ユーザデバイスの時間である、請求項１１に記載の方法。
【請求項１４】
前記コンテンツデータストリームの前記ソースを特徴付ける前記少なくとも１つの値は、チャネルと、コンテンツ識別子と、放送者の識別子と、コンテンツ所有者の識別子と、コンテンツ視聴率情報と、ＵＲＬリダイレクションとのうちの少なくとも１つを含む、請求項１１に記載の方法。
【請求項１５】
前記ユーザ情報はユーザ識別子とユーザ選好とのうちの少なくとも一方を含む、請求項１１に記載の方法。
【手続補正２】
【補正対象書類名】明細書
【補正対象項目名】００２８
【補正方法】変更
【補正の内容】
【００２８】
システム１００中のエンティティはそれぞれ、正しく機能するための必要構成要素、ソフトウェア、およびハードウェア、例えば少なくとも１つのプロセッサやメモリやインタフェースなどを備えるが、これらは当業者に周知であるので、これらについては詳細に述べないことは理解されるであろう。
【手続補正３】
【補正対象書類名】明細書
【補正対象項目名】００４４
【補正方法】変更
【補正の内容】
【００４４】
この記述に、ならびに（適切な場合には）特許請求の範囲および図面に開示する各特徴は、独立して、または任意の適切な組合せで提供することができる。ハードウェア中で実現されるものとして述べる特徴をソフトウェア中で実現することもでき、その逆も可能である。特許請求の範囲に出てくる参照番号は、例示によるものに過ぎず、特許請求の範囲に対してどんな限定の効果も有さないものとする。
［付記１］
第２画面システム中で使用されるように構成されたユーザデバイスであって、
−  コンテンツデータストリームを受信することと、
−  複数のパラメータを使用して透かしペイロードを生成することであって、前記パラメータが、前記コンテンツデータストリームのソースを特徴付ける少なくとも１つの値、およびユーザ情報を含むことと、
−  前記透かしペイロードを含む透かしを前記コンテンツデータストリームに挿入して透かし入りコンテンツデータストリームを得ることと、
−  前記透かし入りコンテンツデータストリームを出力することと、
を行うように構成されたプロセッサを備える、前記ユーザデバイス。
［付記２］
前記プロセッサは、前記コンテンツデータストリームの前記ソースを特徴付ける前記少なくとも１つの値を受信するようにさらに構成される、付記１に記載のユーザデバイス。
［付記３］
さらなるパラメータは前記ユーザデバイスの時間である、付記１に記載のユーザデバイス。
［付記４］
前記コンテンツデータストリームの前記ソースを特徴付ける前記少なくとも１つの値は、チャネルと、コンテンツ識別子と、放送者の識別子と、コンテンツ所有者の識別子と、コンテンツ視聴率情報と、ＵＲＬリダイレクションとのうちの少なくとも１つを含む、付記１に記載のユーザデバイス。
［付記５］
前記ユーザ情報はユーザ識別子とユーザ選好とのうちの少なくとも一方を含む、付記１に記載のユーザデバイス。
［付記６］
前記ユーザ識別子は、ユーザの識別子と、前記ユーザデバイスの識別子と、加入の識別子とのうちの少なくとも１つを含む、付記５に記載のユーザデバイス。
［付記７］
前記透かし入りコンテンツデータストリームをレンダリングするように構成されたレンダリングデバイスをさらに備える、付記１に記載のユーザデバイス。
［付記８］
付記１から６のいずれか一項に記載の前記ユーザデバイスと、前記透かし入りコンテンツデータストリームをレンダリングするためのレンダリングデバイスと、第２画面デバイスとを備える第２画面システムであって、前記第２画面デバイスは、
−  画面と、
−  前記レンダリングされた透かし入りコンテンツデータストリームから前記透かしを取り込むためのインタフェースと、
−  プロセッサであって、
−  前記取り込まれた透かしから前記透かしペイロードを抽出し、
−  前記透かしペイロードから前記複数のパラメータのうちの少なくとも１つを抽出し、
−  前記少なくとも１つの抽出したパラメータを使用して要求を生成し、
−  前記要求をサーバに送信し、
−  前記要求に応答して前記サーバから情報を受信し、
−  前記受信した情報を前記画面に表示する
ように構成されたプロセッサと
を備える、前記第２画面システム。
［付記９］
前記ユーザデバイスおよび前記第２画面デバイスはローカルネットワーク中に位置する、付記８に記載の第２画面システム。
［付記１０］
前記ユーザデバイスの前記プロセッサは前記透かしを繰り返し生成および挿入するように構成される、付記８に記載の第２画面システム。
［付記１１］
第２画面システム中の第２画面デバイス上で第２画面情報をレンダリングする方法であって、
−  ユーザデバイスにおいて、
−  コンテンツデータストリームを受信するステップと、
−  複数のパラメータを使用して透かしペイロードを生成するステップであって、前記パラメータが、前記コンテンツデータストリームのソースを特徴付ける少なくとも１つの値、およびユーザ情報を含むステップと、
−  前記透かしペイロードを含む透かしを前記コンテンツデータストリームに挿入して透かし入りコンテンツデータストリームを得るステップと、
−  前記ユーザデバイスまたはレンダリングデバイスにおいて前記透かし入りコンテンツデータストリームをレンダリングするステップと、
−  前記第２画面デバイスにおいて、
−  前記レンダリングされた透かし入りコンテンツデータストリームから前記透かしを取り込むステップと、
−  前記取り込んだ透かしから前記透かしペイロードを抽出するステップと、
−  前記透かしペイロードから前記複数のパラメータのうちの少なくとも１つを抽出するステップと、
−  前記少なくとも１つの抽出したパラメータを使用して要求を生成するステップと、
−  前記要求をサーバに送信するステップと、
−  前記要求に応答して前記サーバから情報を受信するステップと、
−  前記受信した情報を前記第２画面の画面に表示するステップと
を含む、前記方法。
［付記１２］
前記ユーザデバイスによって、コンテンツデータストリームの前記ソースを特徴付ける前記少なくとも１つの値を受信するステップをさらに含む、付記１１に記載の方法。
［付記１３］
さらなるパラメータは前記ユーザデバイスの時間である、付記１１に記載の方法。
［付記１４］
前記コンテンツデータストリームの前記ソースを特徴付ける前記少なくとも１つの値は、チャネルと、コンテンツ識別子と、放送者の識別子と、コンテンツ所有者の識別子と、コンテンツ視聴率情報と、ＵＲＬリダイレクションとのうちの少なくとも１つを含む、付記１１に記載の方法。
［付記１５］
前記ユーザ情報はユーザ識別子とユーザ選好とのうちの少なくとも一方を含む、付記１１に記載の方法。